(57)【要約】【課題】可視光および赤外光に基づく光を検出する検出装置または撮影装置を、簡易かつ安価にする。【解決手段】可視光および赤外光を検知するシリコンフォトダイオード（ＳＰＤ）の受光センサーは、装置本体１１の検知窓２２に対応して配置している。フィルタ２６は、モータなどで構成されるフィルタ駆動部を介して、受光センサーの検知領域内に位置する第１位置（破線で示す位置）と，受光センサーの検知領域外に位置する第２位置（２点鎖線で示す位置）との間を選択的にスライドする。フィルタ駆動部がフィルタ２６を第１位置および第２位置にスライドさせることにより、１個の受光センサーによって可視光および赤外光をそれぞれ検知し得る。即ち、１個の受光センサーが従来の測光センサーおよび赤外線センサーを兼用するので、部品点数が減り、構成が簡易になると共に、安価となる。【選択図】　図１
2004125865.tif 000002
【特許請求の範囲】
【請求項１】
可視光および赤外光を検知する検知手段と、
可視光を遮光するフィルタと、
前記フィルタが前記検知手段の検知領域内に位置する第１位置と、前記フィルタが前記検知手段の検知領域外に位置する第２位置との間を選択的に移動させる移動手段と、
を備える検出装置。
【請求項２】
請求項１記載の検出装置と、
撮影を実行するときに操作される操作手段と、
必要に応じて被写体に対し光を照射する発光手段と、
前記操作手段が操作された場合には前記フィルタが前記第２位置に位置されるように前記移動手段を制御し、前記操作手段の操作による撮影が終了した場合には前記フィルタが前記第１位置に位置されるように前記移動手段を制御する制御手段と、
を備える撮影装置。
【請求項３】
可視光および赤外光を検知する検知手段と、
光を射出する発光部が装置本体に対して開放されまたは閉鎖されるように設けられた発光手段と、
前記発光部に配置された、可視光を遮光するフィルタと、
前記発光手段が発光される条件下において前記フィルタが前記検知手段の検知領域外へ位置するように前記発光部を前記装置本体に対し開放させる開放位置に位置させ、前記発光手段の発光が停止した後において前記フィルタが前記検知手段の検知領域内へ位置するように前記発光部を前記装置本体内に収納する閉鎖位置に位置させる移動手段と、
を備える撮影装置。
【発明の詳細な説明】
【０００１】
【発明の属する技術分野】
本発明は、オートストロボモードおよびリモートコントロールモードを有するスチルカメラなどの撮影装置および検出装置に関する。
【０００２】
【従来の技術】
一般的に、ストロボモードを有するスチルカメラなどはオートストロボモードを備えており、そのため装置本体には可視光を受光し得る測光センサー（受光素子）が配置されている。即ち、オートストロボ制御は、ストロボ発光部のキセノン管などの光源から被写体に照射されかつ反射した被写体光（可視光）を受光素子で受光し、この受光量が予め設定された基準値に達した時に光源からの発光を停止させるものである。
【０００３】
また、スチルカメラなどには、シャッタ操作などを遠隔制御し得るようにした、リモートコントロールモードを備えるものがあり、そのため装置本体には赤外光を受光し得る赤外線センサー（受信部）が配置されている。即ち、遠隔制御は、リモートコントローラ（リモコン）を用いることにより、リモコンの送信部から赤外線が出力され受信部へ入力することによってシャッタ処理などが行われる。
【０００４】
一方、リモコン対応装置を搭載したカメラの中には、測距・測角用受光センサー，測光・測角用受光センサーを備えたものである（例えば、特許文献１参照）。特許文献１に係る技術は、リモコンによる遠隔操作に基づく上記各受光センサーの受光出力により、被写体距離，被写体画角，または被写体に対応する測光値を検出し得るものである。また、上記特許文献１に係る技術では、上記遠隔操作に基づき、撮影動作などをも処理し得るように設定されている。
【０００５】
【特許文献１】
特開２０００−２１７００６公報
【０００６】
【発明が解決しようとする課題】
ところで、スチルカメラなどでは、オートストロボモードおよびリモートコントロールモードの両者を備えたものがある。上記タイプのカメラでは、可視光を受光し得る測光センサーおよび赤外光を受光し得る赤外線センサーの２種類のセンサーが必要となり、そのため部品点数が増えるので、構成が複雑になると共に高価になるという問題が生じる。
【０００７】
一方、特許文献１に係る技術は、リモコンから投光された赤外光を、測距・測角用受光センサー（または測光・測角用受光センサー）が受光することにより、測距処理および撮影処理を行うものである。即ち、上記特許文献１に係る技術でも、オートストロボ制御を行うために、可視光を受光し得る別体の測光センサーを、装置本体に設ける必要があった。
【０００８】
本発明の目的は、上記事実を考慮して、可視光および赤外光に基づく光を検出する検出装置または撮影装置を、簡易かつ安価にする。
【０００９】
【課題を解決するための手段】
請求項１記載の検出装置では、可視光および赤外光を検知する検知手段と、可視光を遮光するフィルタと、前記フィルタが前記検知手段の検知領域内に位置する第１位置と、前記フィルタが前記検知手段の検知領域外に位置する第２位置との間を選択的に移動させる移動手段と、を備えることを特徴とする。
【００１０】
移動手段は、フィルタを第１位置または第２位置に選択的に移動させる。そして、フィルタが第１位置に位置する場合には、フィルタが検知手段の検知領域内に位置するので、フィルタが可視光を遮光する。そのため、検知手段は、赤外光のみを検知する。一方、フィルタが第２位置に位置する場合には、フィルタが検知手段の検知領域外に位置するので、検知手段は可視光を検知する。
【００１１】
即ち、請求項１記載に係る発明においては、移動手段がフィルタを第１位置または第２位置に移動させることにより、１個の検知手段によって可視光および赤外光をそれぞれ検知し得る。従って、請求項１記載に係る発明によれば、１個の検知手段が従来の測光センサーおよび赤外線センサーを兼用するので、部品点数が減り、構成が簡易になると共に、安価となる。
【００１２】
請求項２記載の撮影装置では、請求項１記載の検出装置と、撮影を実行するときに操作される操作手段と、必要に応じて被写体に対し光を照射する発光手段と、　前記操作手段が操作された場合には前記フィルタが前記第２位置に位置されるように前記移動手段を制御し、前記操作手段の操作による撮影が終了した場合には前記フィルタが前記第１位置に位置されるように前記移動手段を制御する制御手段と、を備えることを特徴とする。
【００１３】
制御手段は、操作手段が操作された場合に、フィルタが第２位置に位置されるように移動手段を制御する。即ち、制御手段は、移動手段を介してフィルタを検知手段の検知領域外に位置させる。そして、発光手段が発光される条件下の場合にはストロボ発光部から被写体へ可視光が照射されるので、検知手段は被写体に反射した被写体光（可視光）を検知し得る。
【００１４】
一方、制御手段は、操作手段の操作による撮影が終了した場合に、フィルタが第１位置に位置されるように移動手段を制御する。即ち、撮影が終了した後は、リモートコントロールモードに対応できるように、フィルタを検知手段の検知領域内に位置させる。そして、フィルタが可視光を遮光するので、検知手段は赤外光を検知し、この赤外光に基づきシャッタ処理などを行うことが可能な待機状態となる。
【００１５】
請求項２記載に係る発明によれば、オートストロボモードおよびリモートコントロールモードの両者を備えたデジタルスチルカメラなどの撮影装置においては、１個の検知手段が従来の測光センサーおよび赤外線センサーを兼用するので、部品点数が減り、構成が簡易になると共に、安価となる。
【００１６】
請求項３記載の撮影装置では、可視光および赤外光を検知する検知手段と、光を射出する発光部が装置本体に対して開放されまたは閉鎖されるように設けられた発光手段と、前記発光部に配置された、可視光を遮光するフィルタと、前記発光手段が発光される条件下において前記フィルタが前記検知手段の検知領域外へ位置するように前記発光部を前記装置本体に対し開放させる開放位置に位置させ、前記発光手段の発光が停止した後において前記フィルタが前記検知手段の検知領域内へ位置するように前記発光部を前記装置本体内に収納する閉鎖位置に位置させる移動手段と、を備えるを備えることを特徴とする。
【００１７】
移動手段は、発光手段が発光される条件下において、フィルタが検知手段の検知領域外へ位置するように、発光部を開放位置に位置させる。そして、ストロボ発光部は被写体へ可視光を照射するので、検知手段は被写体に反射した被写体光を検知し得る。
【００１８】
一方、発光手段の発光が停止した後においてはリモートコントロールモードに対応できるように、移動手段は発光部を閉鎖位置に位置させる。即ち、フィルタが検知手段の検知領域内へ位置されるので、検知手段は赤外光を検知し、この赤外光に基づきシャッタ処理などを行うことが可能な待機状態となる。
【００１９】
請求項３記載に係る発明によれば、オートストロボモードおよびリモートコントロールモードの両者を備えたデジタルスチルカメラなどの撮影装置においては、フィルタを発光部の移動に連動させる構成としたので、さらに構成が簡易になると共に、安価となる。
【００２０】
なお、本発明に係る撮影装置は、フィルムカメラ，デジタルカメラ，撮像機能を備えた携帯電話，パーソナル・コンピュータ，ＰＤＡ（Ｐｅｒｓｏｎａｌ　　Ｄｉｇｉｔａｌ　Ａｓｓｉｓｔａｎｃｅ）などを含む概念である。
【００２１】
【発明の実施の形態】
以下、図１乃至図４に基づいて、本実施形態に係る検出装置および撮影装置であるデジタルスチルカメラ（以下、単に「カメラ」という）について説明する。なお、図１は本実施形態に係るカメラの正面図、図２は図１に示すカメラの一部破断した側面図、図３は図１に示すカメラのブロック図である。
【００２２】
図１に示すように、カメラ１０には、被写体像を結像させるための撮影レンズ１２、撮影する被写体の構図を決めるために用いられる光学ファインダ１４、撮影を実行する際にユーザによって操作される操作手段のレリーズボタン１６、露光に際して適正な露光光量が得られない低照度の場合に発光される発光手段のストロボ点灯装置１８、透明または半透明な合成樹脂などで形成された検知窓２２などが配置されている。
ストロボ点灯装置１８のストロボ発光窓１９内には、光源であるキセノン管，リフレクタなどを備えるストロボ発光部２０が配置されている。ストロボ発光部２０は、カメラ１０の正面に常に開放された状態において、位置決めされているタイプである。なお、ストロボ発光部２０は、図示しない電源としての電池，昇圧コイル，メインコンデンサなどで構成される充電部を備える。
【００２３】
図２に示すように、カメラ１０の装置本体１１内には、可視光および赤外光を検知するシリコンフォトダイオード（ＳＰＤ）の受光センサー２４が、検知窓２２に対応するように配置されている。検知手段である受光センサー２４は、図示しない回路（プリント）基板上に位置決めされた状態において、接続されている。
【００２４】
また、カメラ１０の装置本体１１内には、可視光を遮光する赤外フィルタ（以下、単に「フィルタ」という）２６が、移動可能に配置されている。即ち、フィルタ２６は、図示しないモータなどで構成される移動手段のフィルタ駆動部２８（図３参照）を介して、受光センサー２４の検知領域内に位置する第１位置（図１の破線で示す位置）と，受光センサー２４の検知領域外に位置する第２位置（図１の２点鎖線で示す位置）との間を選択的にスライドする。
【００２５】
そして、フィルタ２６が第１位置に位置する状態は、フィルタ２６によって可視光が遮光され受光センサー２４に入力されない状態であり、図２に示すリモートコントローラ（以下、単に「リモコン」という）６０の発光ダイオードなどで構成される送信部６１から出力された赤外線のみの入力が可能なリモコン受信モードである。
【００２６】
リモコン受信モードにおいて、リモコン６０からの赤外線が、受光センサー２４に入力されることによってシャッタ処理などが行われる。なお、リモコン６０には操作ボタン６２が配置されており、操作ボタン６２が押圧されることによって送信部６１から赤外線が出力される。
【００２７】
一方、フィルタ２６が第２位置に位置する状態は、可視光が受光センサー２４に入力される状態であり、図１に示すストロボ発光部２０から被写体に照射されかつ反射した被写体光（可視光）を受光センサー２４で受光が可能なオートストロボモードである。オートストロボモードでは、受光センサー２４で受光された受光量が、予め設定された基準値に達した時にストロボ発光部２０の発光を停止させる。
【００２８】
次に、図３に基づき、カメラ１０の制御系に関する構成について概略する。カメラ１０は、撮影レンズ１２と、撮影レンズ１２を通り抜ける光の量を調整する絞り３０と、撮影レンズ１２の光軸後方に配設されたＣＣＤ３２と、を含んで構成されている。ＣＣＤ３２の出力端には、相関２重サンプリング回路（ＣＤＳ）３４，ゲインコントローラ（ＧＣ）３５，およびＡ／Ｄコンバータ３６を順に介し、図示しないホワイトバランス調整回路，ガンマ補正回路，およびＹＣ信号作成回路などから構成されるデジタル信号処理部３８が接続されている。
【００２９】
カメラ１０の全体的な動作を司る制御手段としての中央演算処理装置（ＣＰＵ）４０には、レリーズボタン１６、フィルタ駆動部２８、デジタル信号処理部３８、撮影レンズ１２を合焦位置などに移動させる駆動部４２、絞り３０を被写体輝度（撮影ＥＶ）で設定された絞り値に基づいて駆動させる駆動部４４、タイミング信号を生成するタイミングジェネレータ（ＴＧ）４６が接続されている。
【００３０】
即ち、ＣＰＵ４０は、ＣＣＤ３２による撮像によって得られた画像のコントラストが最大となるように、撮影レンズ１２の駆動部４２を駆動制御することによって合焦制御を行う。本実施形態に係るカメラ１０は、合焦制御として、読み取られた画像のコントラストが最大となるようにレンズの位置を設定する、いわゆるＴＴＬ（Ｔｈｒｏｕｇｈ　Ｔｈｅ　Ｌｅｎｓ）測光方式を採用している。そして、カメラ１０では、オートフォーカス・フレームによって示される撮影位置に被写体が位置した状態において、シャッターボタン（図１および図２参照）が半押されることにより、自動的に合焦制御が行われる。
【００３１】
ＴＧ４６にはＣＣＤ３２を駆動するＣＣＤ駆動部４８が接続されており、そしてＣＣＤ駆動部４８すなわちＣＣＤ３２，ＣＤＳ３４，ＧＣ３５，及びＡ／Ｄコンバータ３６はＴＧ４６から加えられるタイミング信号によって同期して駆動される。また、撮影レンズ１２または絞り３０は、ＣＰＵ４０の制御信号に基づいて駆動される駆動部４２または４４を介し、移動または駆動する。
【００３２】
ＧＣ３５はＣＣＤ３２におけるＲ（赤），Ｇ（緑），Ｂ（青）毎の感度調整を行う。また、デジタル信号処理部３８にはメモリ３９が接続されており、このメモリ３９はＡ／Ｄコンバータ３６から出力された各々１２ビットのＲ、Ｇ、Ｂ信号（以下、単に「デジタル画像データ」という。）を一旦格納する。
【００３３】
そして、ＣＰＵ４０はメモリ３９に格納されたデジタル画像データを読出し、読出されたデジタル画像データをデジタル信号処理部３８において光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びメモリ３９に格納する。
【００３４】
なお、デジタル信号処理部３８には、ＣＣＤ３２による撮像によって得られた被写体像や各種情報を表示するＬＣＤなどの表示部５０と、主としてＣＣＤ３２による撮像によって得られたデジタル画像データを記録するＩＣカード，ＣＤ−Ｒ，ＣＤ−ＲＷ等の記録部５２が接続されている。また、カメラ１０には、ＣＰＵ４０などに対して電源電力を供給する図示しない電源部（電池などで構成される）が配置されている。
【００３５】
また、ストロボ発光部２０とＣＰＵ４０との間には、発光駆動部，発光スイッチなどで構成されるストロボ制御部５４が接続されている。また、受光センサー２４とＣＰＵ４０との間にはＡ／Ｄコンバータ５６が接続されていると共に、受光センサー２４とＡ／Ｄコンバータ５６との間には調光回路５８が接続されている。さらに、積分回路などで構成される調光回路５８は、ストロボ制御部５４に接続されている。
【００３６】
引続き、図４に基づき、本実施形態に係るリモコン受信モードおよびストロボ調光モードに関する作用について説明する。図４はカメラ１０の電源スイッチ（図示省略）がオンされた際にＣＰＵ４０によって実行される処理ルーチンを示すフローチャートであり、このプログラムは図示しない記憶部（メモリ）の所定領域に予め記憶されている。なお、図４に示す処理は、カメラ１０の電源スイッチがオフされるまで続けられる。
【００３７】
ステップ１００では図１に示すフィルタ２６が第１位置に位置（図１の破線で示す位置）するか否かを判断し、ステップ１００が否定の場合（フィルタ２６が第１位置しない場合）にはステップ１０２でフィルタ２６をフィルタ駆動部２８によってリモコン受信モードである第１位置に移動させる。
【００３８】
フィルタ２６が受光センサー２４の検知領域内に位置するリモコン受信モードでは、可視光が遮光され受光センサー２４に入力されないので、リモコン６０からの赤外光が受光センサー２４に入力されることによってシャッタ処理などが行われる。
【００３９】
即ち、受光センサー２４に入力された赤外光は、Ａ／Ｄコンバータ５６によってデジタル信号に変換され、ＣＰＵ４０は上記デジタル信号に基づいた処理を行う。なお、本実施形態のリモコン受信モードでは、フィルタ２６が受光センサー２４の検知領域内に位置しているので、赤外光のみが受光され、赤外光の受光精度が向上する。
【００４０】
ステップ１０２の処理が終了した後またはステップ１００が肯定の場合（フィルタ２６が第１位置に位置する場合）には、ステップ１０４でレリーズボタン１６が半押されたか否かを判断する。ステップ１０４が肯定の場合（レリーズボタン１６が半押された場合）には、フィルタ２６をフィルタ駆動部２８によってストロボ調光モードである第２位置（図１の２点鎖線で示す位置）に移動させる。なお、ステップ１０４の処理は、レリーズボタン１６が半押されるまで続けられる。
【００４１】
ステップ１０６の処理が終了した後は、ステップ１０８において、自動合焦（ＡＦ）処理および自動露出（ＡＥ）処理を行い、撮影時の絞り値とシャッタスピードなどを最終的に決定する。ステップ１１０ではレリーズボタン１６が全押されたか否かを判断し、ステップ１１０が肯定の場合（レリーズボタン１６が全押された場合）にはステップ１１２でストロボ発光条件を具備しているか否かを判断する。
【００４２】
ステップ１１２のストロボ発光条件は、上述したＴＴＬ測光に基づき、露光に際して適正な露光光量が得られない低照度か否かを判断する。なお、ステップ１０４および１１０において、レリーズボタン１６が押圧操作された場合に、ステップ１０６，１０８，および１１２の処理が行われる。
【００４３】
ステップ１１０が否定の場合（レリーズボタン１６が全押されない場合）には、ステップ１１４において、レリーズボタン１６が所定時間内でオフされた（レリーズボタン１６の全押し操作を途中で解除した）か否かを判断する。即ち、ステップ１１４の処理は、所定時間が経過するまで続けられる。また、ステップ１１４が肯定の場合（レリーズボタン１６がオフされた場合）には、ステップ１００に戻り、ステップ１００以降の処理が続けられる。
【００４４】
ステップ１１２が肯定の場合（ストロボ発光条件が具備している場合）には、ステップ１１６において、調光処理および撮影処理を並行して行う。即ち、ストロボ発光部２０は、ＣＰＵ４０から出力された駆動（トリガー）信号に基づき、制御されたストロボ制御部５４を介して発光する。
【００４５】
ストロボ発光部２０の発光と同時に、ストロボ発光部２０から被写体に照射されかつ反射した被写体光を受光センサー２４で受光し、この受光によって得られた光電電流が調光回路５８で積分される。そして、積分量が予め設定された基準値に達した時に、ストロボ制御部５４によってストロボ発光部２０の発光を停止させる。
【００４６】
なお、オートストロボモードでは露光に際して適正な露光光量が得られない低照度である（即ち、撮影環境として撮影の周囲が暗い状況となっている）ので、フィルタ２６を受光センサー２４の検知領域外に位置する第２位置に位置させても、受光センサー２４は可視光である上記被写体光を適正に受光し得る。
【００４７】
また、ステップ１１６では、ＣＣＤ３２に結像された被写体像を、デジタル信号処理部３８などによって所定の画像処理を施したデジタル画像データとして、記録部５２に記録などをする撮影処理が行われる。なお、この撮影処理は、周知の処理と同様である。
【００４８】
ステップ１１２が否定の場合（ストロボ発光条件が具備していない場合）には、ステップ１１８において、上述した撮影処理のみを行う。即ち、ステップ１１８では、ストロボ発光部２０が発光しないので、ステップ１１６の調光処理を行わない。なお、ステップ１１６またはステップ１１８が終了した後は、ステップ１００に戻り、ステップ１００以降の処理が続けられる。また、上記処理は、電源スイッチがオフされることによって終了する。
【００４９】
本実施形態においては、フィルタ駆動部２８がフィルタ２６を第１位置および第２位置にスライドさせることにより、１個の受光センサー２４によって可視光および赤外光をそれぞれ検知し得る。即ち、本実施形態によれば、１個の受光センサー２４が従来の測光センサーおよび赤外線センサーを兼用するので、部品点数が減り、構成が簡易になると共に、安価となる。
【００５０】
なお、上記本実施形態では、可視域カット用（赤外）フィルタ２６のみを移動可能とした例であるが、可視光を検出する際（オートストロボモード時）には赤外光が誤差の原因となる場合もあるので、赤外光カットフィルタをさらに移動可能に設け、可視域カットフィルタ２６および赤外光カットフィルタをオートストロボモードまたはリモートコントロールモードに応じて入れ換えるよう構成しても良い。
【００５１】
（第２実施形態）
以下、図５乃至図８に基づき、本発明の第２実施形態について説明する。本実施形態は、ストロボ発光部がいわゆるポップアップまたはダウンするタイプの例である。図５は本実施形態に係るポップアップ式ストロボを備えるカメラの正面図、図６は図５に示すカメラの一部破断した側面図、図７はストロボ発光部がポップアップした状態におけるカメラの正面図、図８は図７に示すカメラの一部破断した側面図である。なお、図５および図６において、図１および図２と対応する部分には同一符号を付し、その詳細説明は省略する。
【００５２】
図５乃至図８に示すように、ストロボ発光部７０は、装置本体１１の上面１１Ａ中央に対し、開放（ポップアップ）または閉鎖（ダウン）するよう配置されている。そして、図５および図６に示すように、ストロボ発光部７０が装置本体１１内に収納（閉鎖）される状態においては、ストロボ発光部７０の上面７０Ａと装置本体１１の上面１１Ａとが面一となる。
【００５３】
ストロボ発光部７０は、図示しない支軸，モータ，ガイド部材などで構成されるポップアップ機構を介してポップアップまたはダウンする。なお、このポップアップ機構は、周知のポップアップ機構と同様である。本実施形態では、上述したＴＴＬ測光に基づき、露光に際して適正な露光光量が得られない低照度と判断手段であるＣＰＵが判断した場合に、ＣＰＵが上記モータを自動的に駆動させ、ストロボ発光部７０を図７および図８に示すようにポップアップさせる。
【００５４】
なお、本実施形態では、ストロボ発光部７０を手動スイッチによって移動可能としても良く、またストロボ発光部をスライドなどさせることによって開閉可能としても良い。
【００５５】
ストロボ発光部７０には、可視光を遮光する赤外フィルタ（以下、単に「フィルタ」という）７２が設けられている。図６に示すように、フィルタ７２は、ストロボ発光部７０の収納時において、検知窓２２および受光センサー２４の間に位置するよう配置されている。
【００５６】
一方、図８に示すように、フィルタ７２は、ストロボ発光部７０のポップアップ（露出）時において、検知窓２２および受光センサー２４の間から離間する状態となる。即ち、フィルタ７２は、受光センサー２４の検知領域内に位置する第１位置（図５および図６に示す位置）と，受光センサー２４の検知領域外に位置する第２位置（図７および図８に示す位置）との間を移動（回転）する。
【００５７】
引続き、本実施形態に係るストロボ発光部７０およびフィルタ７２に関する作用について説明する。電源オン時におけるＴＴＬ測光に基づき、露光に際して適正な露光光量が得られない低照度とＣＰＵが判断した場合には、ＣＰＵが図示しないモータを駆動させ、ストロボ発光部７０をポップアップさせる（図７および図８参照）。
【００５８】
即ち、フィルタ７２が第２位置に位置する状態は、図７および図８に示すストロボ発光部７０から被写体に照射されかつ反射した被写体光（可視光）を受光センサー２４で受光が可能なオートストロボモードである。オートストロボモードでは、受光センサー２４で受光された受光量が、予め設定された基準値に達した時にストロボ発光部７０の発光を停止させる。
【００５９】
そして、上述した調光処理および撮影処理が並行して行われた後は、ＣＰＵがモータ（図示省略）を駆動させ、ストロボ発光部７０を装置本体１１内に収納させる（図５および図６参照）。これにより、フィルタ７２は、第１位置に位置する状態となる。即ち、フィルタ２６によって可視光が遮光され受光センサー２４に入力されない状態となるので、図６に示すリモコン６０の送信部６１から出力された赤外線のみが受光センサー２４に入力され、シャッタ処理などが行われる。
【００６０】
本実施形態によれば、オートストロボモードおよびリモートコントロールモードの両者を備えたカメラ１０において、フィルタ７２をストロボ発光部７０に設けると共にストロボ発光部７０に連動させて第１位置および第２位置に移動可能としたので、第１実施形態の構成よりもさらに簡易になると共に、安価となる。また、その他の構成および作用効果は、第１実施形態と同様であるので、説明は省略する。
【００６１】
なお、本発明では、第１実施形態および第２実施形態を組合わせるような構成としても良く、例えば第１実施形態のストロボ発光窓１９に移動可能なシャッタ部材をさらに設けると共に、フィルタ２６を上記シャッタ部材に一体形成させる。この場合、センサー２４を、第１位置に位置するフィルタ２６に対応させる必要がある。また、本発明は、別体のストロボ発光装置をカメラに対して着脱可能とした撮影装置にも、同様に適用し得る。
【００６２】
上記各実施形態ではストロボ発光条件の有無をＴＴＬ測光に基づいて行うタイプの例であるが、本発明ではセンサー２４を用いて測光処理を行うように構成しても良い。この場合には、被写体光（可視光）を受光センサー２４で受光し、この受光量が基準値以下の場合にストロボ発光部２０を発光させる。
【００６３】
上記各実施形態では受光センサー２４として光起電素子であるシリコンフォトダイオードを使用した例であるが、本発明に係る検知手段は例えばフォトトランジスタなどを適用しても良い。また、第１実施形態において説明したプログラムの処理の流れ（図４参照）は一例であり、本発明の主旨を逸脱しない範囲内において適宜変更可能であることは言うまでもない。
【００６４】
上記各実施形態では撮影装置をデジタルスチルカメラとした例であるが、本発明に係る撮影装置はフィルムカメラ，デジタルビデオカメラ，撮像機能を備えた携帯電話，パーソナル・コンピュータ，ＰＤＡ（Ｐｅｒｓｏｎａｌ　　Ｄｉｇｉｔａｌ　Ａｓｓｉｓｔａｎｃｅ）などを含む概念である。また、本発明に係る検出装置は、上記撮影装置以外の電子機器にも、同様に適用し得る。
【００６５】
【発明の効果】
以上説明したように、本発明によれば、移動手段がフィルタを第１位置または第２位置に移動させることにより、１個の検知手段によって可視光および赤外光をそれぞれ検知し得るので、１個の検知手段が従来の測光センサーおよび赤外線センサーを兼用でき、そのため部品点数が減り構成が簡易になると共に安価となる。
【図面の簡単な説明】
【図１】本発明の第１実施形態に係るカメラの正面図である。
【図２】図１に示すカメラの一部破断した側面図である。
【図３】図１に示すカメラのブロック図である。
【図４】図１に示すフィルタの移動に関する処理の流れを示すフローチャートである。
【図５】本発明の第２実施形態に係るポップアップ式ストロボを備えるカメラの正面図である。
【図６】図５に示すカメラの一部破断した側面図である。
【図７】図５に示すストロボ発光部がポップアップした状態におけるカメラの正面図である。
【図８】図７に示すカメラの一部破断した側面図である。
【符号の説明】
１０　　デジタルスチルカメラ（撮像装置）
１１Ａ　装置本体
１６　　レリーズボタン（操作手段）
１８　　ストロボ点灯装置（発光手段）
２０　　ストロボ発光部
２４　　受光センサー（検知手段）
２６　　赤外フィルタ
２８　　フィルタ駆動部（移動手段）
４０　　ＣＰＵ（制御手段）
７０　　ストロボ発光部
７２　　赤外フィルタ
【図１】
2004125865.tif 000003
【図２】
2004125865.tif 000004
【図３】
2004125865.tif 000005
【図４】
2004125865.tif 000006
【図５】
2004125865.tif 000007
【図６】
2004125865.tif 000008
【図７】
2004125865.tif 000009
【図８】
2004125865.tif 000010